(57)【要約】【課題】複雑な文字や図柄であっても、短時間で簡便に、且つ能率よく作製できるようにする。【解決手段】基板５上に発光素子７と少なくとも抵抗６を備えてなる発光部８を前記基板５上の発光部８から導出したリード線９を介して数個乃至数十個鎖状に連ならせてリードチェーン光源２を形成し、このリードチェーン光源２における相隣り合う発光部８を接続するリード線９に別の相隣り合う発光部８間にあるリード線９を簡易結線手段１０を介して結線Ｂするようにした。【選択図】      図１
2007156095.tif 000002
【特許請求の範囲】
【請求項１】
基板上に少なくとも発光素子を備えてなる発光部を前記基板上の発光部から導出したリー
ド線を介して数個乃至数十個鎖状に連ならせてリードチェーン光源を形成し、このリード
チェーン光源における相隣り合う発光部を接続するリード線に別の相隣り合う発光部間に
あるリード線を簡易結線手段を介して結線するようにしたこと特徴とするＬＥＤ照明装置
。
【請求項２】
簡易結線手段は、相隣り合う発光部を接続するリード線の一方が裸電線で、他方が被覆体
で覆われている請求項１記載のＬＥＤ照明装置。
【請求項３】
簡易結線手段は、相隣り合う発光部を接続するリード線がそれぞれ、相隣り合う発光部間
隔のほぼ半分に相当する長さ分が互い違いに被覆体で覆われている請求項１記載のＬＥＤ
照明装置。
【請求項４】
簡易結線手段は、相隣り合う発光部を接続するリード線がそれぞれ被覆されていて、この
被覆体には部分的にリード線露出部が備わってる請求項１記載のＬＥＤ照明装置。
【請求項５】
簡易結線手段は、渡りケーブル若しくはコネクタを備えた渡りケーブルである請求項１記
載のＬＥＤ照明装置。
【請求項６】
被覆体はリード線にスライド自在に嵌合するか若しくは抵抗ある状態でスライド可能に蜜
嵌合している請求項１〜７のいずれかに記載のＬＥＤ照明装置。
【請求項７】
リード線の結線箇所以外の裸部分、必要に応じて結線箇所は、結線作業の前或いは後に、
合成樹脂素材を塗着或いは塗布することによって被覆されている請求項１〜請求項６のい
ずれかに記載のＬＥＤ照明装置。
【請求項８】
発光素子、少なくとも抵抗は基板の表面側に実装されるとともに、リード線は、少なくと
も基板の側面から上面に連なり、基板の下面の少なくとも一部がフラットで放熱面になっ
ている請求項１〜７のいずれかに記載のＬＥＤ照明装置。
【請求項９】
リード線は、積極的に外力を加えることで折れ曲がり、その折れ曲がり後の形状を保つこ
とが可能な硬さである請求項穂１〜８のいずれかに記載のＬＥＤ照明装置。
【請求項１０】
請求項１〜９に記載のＬＥＤ照明装置に使用され、基板と、その上に配される少なくとも
発光素子と、基板の上面から導出される正並びに負極一対のリード線とからなる発光部。
【発明の詳細な説明】
【技術分野】
【０００１】
本発明は、ＬＥＤランプや発光ダイオードと言われる発光素子の多数個チェーン状に連
ねて看板など各種の照明に利用するＬＥＤ照明装置とその発光部に関する。
【背景技術】
【０００２】
一般に、ＬＥＤランプや発光ダイオードと言われる発光素子（本発明では以下単に発光
素子と称する）の多数個チェーン状に連ねたものとしては、以下のような提案がなされて
いる。
【０００３】
その一つは、複数の発光体を可撓性を有する被覆体で被覆した発光表示装置において、
被覆体の曲げ変形に追従可能な可撓性を有する基板を備え、かつ、複数の発光体を前記基
板に支持する構成と刷することによって、発光表示装置の曲げ変形を許容しながらも、基
板に備えられた複数の発光方向が略一定になるようにしたものである。他の一つは、赤色
、緑色及び青色の発光素子を備える発光部と、予め設定した発色プログラムに従って赤色
、緑色及び青色の各発光素子の一又は二以上を選択して順次発光させることにより発光部
の発色を変化させる制御部と、発光部及び制御部を収容する少なくとも一部に透明部又は
半透明部を有するカプセル状のケーシング部を備えるものである。
【特許文献１】特開２００５−２０８４１２号公報
【特許文献２】特開２００３−１３２７１７号公報
【発明の開示】
【発明が解決しようとする課題】
【０００４】
このような従来の手段の内、前者の場合には、発光体及び基板が全て合成樹脂素材から
なる円筒形の可撓性の被覆体内にスッポリと挿入されている。また、後者のものは発光素
子同士が被覆されたリード線で互いに結線されている。
【０００５】
ところで、この種のＬＥＤ照明装置は、例えば数字のように、所謂一筆で描ける場合は
問題がないが、それ以外の文字や図柄などを表す場合には、一連に繋がらない部分や重な
り合う部分が生じる。例えば、図３に示すような平仮名の「あ」に例をとって具体的に説
明すると、この「あ」という文字の重なり部分は、横線０１と縦線０２との重なり部分Ｃ
１、更には縦線０２と「の」の字部分０３との重なり部分二箇所Ｃ２、Ｃ３、そして「の
」の字部分０４同士の重なり部分Ｃ４一箇所にそれぞれ生じる。
【０００６】
したがって、このような文字などを表すには、従来の後者の構造では、例えば横線０１
部分にチェーン照明装置部分を配置し、次いで縦線０２部分の上端とこの横線０１部分の
中間部分とを、リード線を切断し、更に被覆体を剥がし、しかも裸にしたリード線部分を
互いにより合わせて結線する必要がある。また、縦線０２部分と「の」の字部分０３との
重なり部分においても同様の結線作業が必要で、結線作業に多くの手間が掛かったり、ま
た、面倒でもあった。また、従来の前者の構造では被覆体を剥がしてみても結線すること
自体が困難である。したがって、重なり合う部分では前記円筒形の被覆体が上下に二段存
在してしまい、表示効果が大きく損なわれる。
【０００７】
本発明者は、この従来のＬＥＤ照明装置の問題点を種々考察、検討、更には実験を繰
り返し結果、重なり部分の結線手段に改良を加え、複雑な文字や図柄であっても、短時間
で簡便に、且つ能率よく作製できるＬＥＤ照明装置とその発光部を開発したので、ここに
提案する。
【０００８】
したがって、この発明の目的は、複雑な文字や図柄であっても、短時間で簡便に、且つ
能率よく作製できるＬＥＤ照明装置とその発光部を提供する点にある。
【課題を解決するための手段】
【０００９】
以上の技術的な課題を解決するために、本発明の請求項１に係るＬＥＤ照明装置は、基
板上に少なくとも発光素子を備えてなる発光部を前記基板上の発光部から導出したリード
線を介して数個乃至数十個鎖状に連ならせてリードチェーン光源を形成し、このリードチ
ェーン光源における相隣り合う発光部を接続するリード線に別の相隣り合う発光部間にあ
るリード線を簡易結線手段を介して結線するようにしたものである。
【００１０】
上記のような構成によれば、このリードチェーン光源によって文字や図柄を表す時、リ
ードチェーン光源が上下に重なり合う部分が生じても、リードチェーン光源同士のこの重
なり部分のリード線の正、負同士を労せずして結線できる。
【発明の効果】
【００１１】
したがって、この発明は以下の効果を奏する。
本発明の請求項１に係るＬＥＤ照明装置は、リード線の簡易結線手段を介して、重なり
部分のリード線の正極側、負極側同士を結線できるので、不用意なショートを生ずること
なく、従来構造と違って、結線に手間を要したり、作業が煩雑になったりするおそれがな
く、また、重なり部分をすっきりと纏められて表示効果を損なうおそれもなく、能率のよ
い照明装置の製作を可能にした。しかも、電源との接続は一箇所だけで良く、例えば模様
や文字の各部毎をそれぞれ電源に接続しなければならない構造に比べて、接続操作の煩わ
しさから解放され、併せて構造を簡素にでき、使用部品の削減も可能にした。
【００１２】
この発明は、以上の構成において、前記簡易結線手段を、例えば相隣り合う発光部を接
続する前記リード線の一方が裸電線で、他方が被覆体で覆われている構造にしたり（請求
項２）、相隣り合う発光部を接続する前記リード線がそれぞれ、相隣り合う発光部間隔の
ほぼ半分に相当する長さ分が互い違いに被覆体で覆われている構造にしたり（請求項３）
、相隣り合う発光部を接続する前記リード線がそれぞれ被覆されていて、この被覆体には
部分的にリード線露出部が備わってる構造にしたり（請求項４）、更には被覆体はリード
線にスライド自在に嵌合しているか若しくは抵抗ある状態でスライド可能に蜜嵌合してい
る構造にしたり（請求項６）するのが望ましい。
【００１３】
このように、リード線の一方が裸電線で、他方が被覆体で覆われている構造にすると、
他方の被覆体を少し剥離するだけで結線を可能にし、作業時間の短縮を格段に図れる。ま
た、相隣り合う発光部間隔のほぼ半分に相当する長さ分が互い違いに被覆体で覆われてい
る構造にしたり、被覆体に部分的なリード線露出部が備わってる構造にしたり、更に熱接
着手段の熱によりこの被覆を溶解して内部のリード線を結線するようにした構造にすると
、それぞれのリード線を直ちに結線でき、能率のよい結線を、短時間で、しかも格段に簡
便に行える。更に、被覆体はリード線にスライド自在に嵌合していると、被覆の移動が簡
便で結線作業の能率が上がる。また、抵抗ある状態でスライド可能に蜜嵌合している構造
では、不用意に被覆体が移動して、ショートを起こしてしまうおそれを可及的になくすこ
とができる。
【００１４】
また、請求項７に記載のように、リード線の結線箇所以外の裸部分、また必要に応じて
結線箇所も含めて、結線作業の前、後に、例えばシリコン樹脂などを塗布するなどして被
覆されるのが望ましい。
照明装置の耐久性を高める上で有効であるからである。
【００１５】
更に、別の手段として簡易接続手段は、請求項６に記載のように、渡りケーブル若しく
はコネクタを備えた渡りケーブルであるのが望ましい。
熱接着手段によって渡りケーブルを基板に接続したり、或いはプラグをジャックに差し
込むだけと言った極簡単で単純な作業で結線ができ、能率のよい照明装置の製作を可能に
できるからである。
【００１６】
また、以上の構成において、請求項８に記載のように、発光素子と少なくとも抵抗は基
板の表面側に実装されるとともに、リード線は、少なくとも基板の側面から上面に連なり
、基板の下面の少なくとも一部はフラットで放熱面になっているのが望ましい。
このリードチェーン光源で、例えば看板等を作成するに当たって、発光部の発熱を効率
良く放出できることは言うまでもないが、併せて基板を看板上に、例えば単に接着やビス
止めして行くだけという簡便な作業、手段のみで、所望の文字や図柄などを格段に簡便に
、また、能率よく作製して行け、しかもリードチェーン光源を看板にしっかりと取り付け
ることができるからである。
【００１７】
また、請求項９に記載のように、積極的に外力を加えることで折れ曲がり、その折れ曲
がり後の形状を保つことが可能な硬さのリード線を採用するのが望ましい。
例えば針金細工のように予め作った形状を保つことがてきるので、チャンネルなど文字
などの形状に併せて予め形作っておくと、現場での装着作業が格段に簡便で、能率の良い
作業がおこなえる。
【００１８】
この発明のＬＥＤ照明装置に用いられる発光部は、請求項１０に記載のように、基板と
、その上に配される少なくとも発光素子と、基板の上面から導出される正並びに負極一対
のリード線とからなるのが望ましい。
ＬＥＤ照明装置のバリエーションが高まり、各種の形態に自在に対応しやす句、また廉
価に提供できるからである。
【発明を実施するための最良の形態】
【００１９】
（実施例１）
このＬＥＤ照明装置１は、図１に示すように、リードチェーン光源２と、このリードチ
ェーン光源２を、例えばＡＣ１００Ｖの商用交流電源に接続するための、例えばＡＣアダ
プタを備えた電気接続用コネクタ３、そして両者を結線する給電ケーブル４を主体として
構成される。なお、電源部としては、電池、携帯バッテリー、車載バッテリー等の各種の
電源を採用できる。
【００２０】
リードチェーン光源２は、図１、図２に示すように、基板５と、その上に実装される抵
抗６並びに発光素子の一例である発光ダイオード７とからなる発光部８、更にこの発光部
８の数個或いは数十個互いに結線する一対のリード線９とから構成される。
【００２１】
更に具体的には、前記抵抗６並びに発光ダイオード７とからなる発光部８は、基板５の
表面上に実装されている。また、基板５には図示される抵抗６の他に、図示しないが点灯
回路部や他の機器を装填しても良いことは言うまでもない。なお、図２において、リード
線９を基板５の表面側に接続するのが望ましい。基板の下面をフラットにできるからで、
看板Ｐのチャンネル（図３参照）などへの取り付けが格段に容易になるからである。
【００２２】
各発光部８同士を電気的に接続する前記リード線９は、図１, 図２に示すように、一方
が正極側９Ａ、他方が負極側９Ｂとなり、使用時には、図１中実線で示すＡＣアダプタ３
やその他、図示しないが、ＡＣーＤＣコンバーターそして電気接続用コネクタを介して交
流電源（図外）に接続される。
【００２３】
そして、この発明において重要な点は、リードチェーン光源２における相隣り合う発光
部８間、つまりは基板５同士の間にあるリード線９の簡易結線手段１０にある。
図１, 図２に示される構造では、一方の前記正極側のリード線９Ａには線がむき出しに
なった裸リード線が採用され、他方の前記負極側のリード線９Ｂには合成樹脂を素材にし
た被覆体１１で覆われた被覆リード線が採用されている。この被覆リード線９Ｂの両端末
は、それぞれ相隣り合う発行部８に半田付けＢされるために、図２（Ｂ）に示すように、
この半田付けＢに必要な最小限の範囲だけで内部のリード線９Ｂ１が露出する構造になっ
ている。従って、少なくとも相隣り合う基板５の間では内部のリード線９Ｂ１が露出しな
いように構成されている。また、一方のリード線、具体的には、線がむき出しになった裸
リード線である前記正極側のリード線９Ａは、積極的に外力を加えることで折れ曲がり、
その折れ曲がり後の形状を保つことが可能な程度の硬さのものが採用されている。但し、
図例では前記正極側のリード線９Ａに適用したが、逆に合成樹脂を素材にした被覆体１１
で覆われた被覆リード線としての他方の前記負極側のリード線９Ｂに適用されても良く、
必要に応じて両方のリード線に適用されても良い。
【００２４】
以上のように構成されたＬＥＤ照明装置１は、例えば看板などに電飾文字を作製するの
に用いられる。
そこで、一例として、図３に示すような平仮名の「あ」を表現する場合について説明す
る。先にも延べたとおり、「あ」には重なり合う部分が都合４箇所存在する。そこで、横
線０１と縦線０２との重なり部分Ｃ１の始末について説明する。他の重なり部分のＣ２〜
Ｃ４はこの重なり部分Ｃ１と同じ作業になる。ただし、この平仮名「あ」は、その文字構
成要素が横線０１部分と縦線０２部分、そして「の」の字部分０３の三つであるから、実
際に通電させるべく結線する必要がある重なり部分は、横線０１部分と縦線０２部分の一
箇所と、縦線０２部分と「の」の字部分０３の二箇所の内の何れか一箇所の都合二箇所と
なり、これによって、前記三つの構成要素のそれぞれのリードチェーン光源２への給電が
行われることになる。
【００２５】
先ず、第一に横線０１に沿って所定長さに切断されたリードチェーン光源２Ａを看板Ｐ
上に取り付ける。次いで、縦線０２に沿って所定長さに切断されたリードチェーン光源２
Ｂを、同様にして、看板Ｐ上に取り付ける。
【００２６】
このとき、重なり部Ｃ１では、横線０１に沿ったリードチェーン光源２Ａの中間部分の
上に縦線０２に沿ったリードチェーン光源２Ｂの上端よりやや下方部分が重なり合って存
在することになる。このリードチェーン光源２Ａ, ２Ｂ同士の重なり部分Ｃ１はそれぞれ
の相隣り合う発光部８同士の間にあるリード線９部分同士を重ね合わせて取り付けるよう
にする。このようにすると、図４（Ａ）に示すように、上下に裸リード線９同士と被覆リ
ード線９Ｂ同士の一対が井桁状に重合することになる。
【００２７】
従って、この井桁状に重なるリード線９を、裸リード線９Ａは裸リード線９Ａ同士、被
覆リード線９Ｂは被覆リード線９Ｂ同士を、例えば半田ごてなどによって、互いに半田付
けＢして、結線するのである。このようにすることによって、正極側９Ａ同士、負極側９
Ｂ同士が結線されて、発光部８の並列接合が上手く達成できる。また、接合時に正極側９
Ａと負極側９Ｂとのリード線９を取り間違えるおそれが少なく、安全な結線ができる。
【００２８】
なお、被覆されているリード線９Ｂ同士の結線は、図４（Ｂ）に示すように、被覆体１
１を一部剥離して中のリード線９Ｂ１を露出させ、この露出部分を半田溶接する。また、
被覆されたままでこの被覆リード線９Ｂの重なり部に半田ごてを押し当て、被覆体１０を
熱によって溶融し、もって内部のリード線９Ｂ１が露出した段階で、すかさず半田付けＢ
するようにしてもよい。被覆体を剥離する手間を省けて効率よく結線できる。ただ、被覆
を剥いて半田付けするのが一般的な手法であるので、この手段を採用するのが望ましいこ
とは言うまでもない。
【００２９】
以上の手順で他の重なり部分Ｃ２或いはＣ３の何れかの結線を行い、文字「あ」を形作
る。
【００３０】
このように、リード線９の裸リード線９Ａは裸リード線９Ａ同士、被覆リード線９Ｂは
被覆リード線９Ｂ同士を、例えば半田ごてなどによって、互いに結線可能とする、所謂簡
易接合手段１０を施すことによって、重なり部分Ｃ１〜Ｃ４のリード線９の正極側のリー
ド線９Ａ、負極側のリード線９Ｂ同士を結線できるので、不用意なショートを生ずること
がなく、従来構造と違って、結線に手間を要したり、作業が煩雑になったりするおそれが
なく、また、重なり部分Ｃ１〜Ｃ４をすっきりと纏められて表示効果を損なうおそれもな
く、能率のよい照明装置の製作が可能になった。また、先に示したように、結線時にリー
ド線９を取り間違えるおそれがすくなく、安全な結線ができる。
【００３１】
（実施例２）
第２の実施例は、本発明の前記簡易接合手段１０の別の構造を示す。
図５（Ａ）, （Ｂ）に示すように、基本的には正極側のリード線９Ａも負極側のリード
線９Ｂもともに被覆体１１で覆われたものを採用するが、その覆い方に特徴がある。
すなわち、基板５同士の間に存在するリード線部分の半分の長さ部分のみ被覆体１１で
覆い、残りの半分は裸リード線とする。しかも、正極側９Ａは、例えば左側半分を覆った
場合には、負極側９Ｂは右半分を覆うようにし、裸で露出するリード線部分がショートす
るのを未然に防止している。加えて、被覆体１１はリード線９に対して、多少の外力では
ずれ動かない程度の抵抗を持つようにして、緊密に外嵌合されている。この多少の外力で
はずれ動かない程度の抵抗とは、人が指先で強制的にスライドさせれば、これに応じて左
右にスライドできる程度の抵抗をいう。
【００３２】
実施例１と同様に、先の平仮名「あ」を例にとって、重なり部Ｃ２で説明すると、この
重なり部分Ｃ２では、図５（Ａ）に示すように、縦線０２部分の正極側のリード線９Ａ上
に「の」の字部分０３の負極側のリード線９Ｂが、また、縦線０２部分の負極側のリード
線９Ｂ上に「の」の字部分０３の正極側のリード線９Ａが井桁状に重なり合うが、ただ重
ね合わせた状態では、一方の裸線部分９Ａが他方の被覆線部分９Ｂに重合して、電流の短
絡現象は生ず、安全性が確保される。
【００３３】
しかし、このままでは結線できないため、図５（Ｂ）に示すように、図上、縦線０２部
分の正極側のリード線９Ａの被覆体１１Ａを下側に、また、この縦線０２部分の負極側の
リード線９Ｂの被覆体１１Ｂを上側にそれぞれスライドさせる。その結果、縦線０２部分
の正極側のリード線９Ａの裸リード線部分９Ａ２と「の」の字部分０３の正極側のリード
線９Ａの裸リード線部分９Ａ１が、また、縦線０２部分の負極側のリード線９Ｂの裸リー
ド線部分９Ｂ１と「の」の字部分０３の負極側のリード線９Ｂの裸リード線部分９Ｂ２が
、それぞれ井桁状に重なり合う。従って、この重なり部分を半田付けＢして結線する。
【００３４】
従ってこの実施例２では、基板５同士の間に存在するリード線部分の半分の長さ部分の
み被覆体１１で覆い、残りの半分は裸リード線とするだけで、格段にスピーディーで能率
のよい結線ができ、もって所期の目的、つまり複雑な文字や図柄であっても、短時間で簡
便に、且つ能率よく作製できるようにするをうまく達成できるのである。
【００３５】
（実施例３）
第３の実施例は、本発明の前記簡易接合手段１０の更に別の構造を示す。
図６に示すように、基本的には正極側のリード線９Ａも負極側のリード線９Ｂもともに
被覆体１１で覆われたものを採用するが、その覆い方に特徴がある。
すなわち、基板５同士の間に存在するリード線部分はその全長にわたって被覆体１１で
覆われるが、その全長にわたって、表裏互い違いに所定間隔置きに、複数個の、リード線
露出部の一例である切り欠き１２が予め設けられる。この切り欠き１２の形状は如何なる
ものであっても良いが、少なくとも内部のリード線９が一部露出する程度の深さで設けら
れることが必要である。
【００３６】
またこの場合、被覆体１１は、先の実施例２と同様に、多少の外力ではずれ動かない程
度の抵抗を持つようにして、緊密に外嵌合されているのが望ましい。
【００３７】
切り欠き１２を得るには、被覆体１１上の一つの仮想直線に沿って設けられるのが一般
的な手法であるから、例えば被覆体１１の上面であった場合、重なりだ部分Ｃ１では、縦
線０１部分も縦線０２部分も何れのものこの切り欠きが上方を向いて存在してしまう。そ
のため、被覆体１１がリード線９に蜜に外嵌合していると、縦線０２部分の被覆体１１を
上下反転させることができず、結線にかえって手間取る。この点、上記のように指先で被
覆体１１を上下反転できれるようにしておけば、結線作業が短時間で簡便に、且つ能率よ
く行える。
【００３８】
従って、井桁状の重なり部分Ｃ１において、図示しないが、縦線０２部分のリード線９
の被覆体１１を上下反転して、切り欠き１２を下方の横線０１部分のリード線９側に向け
、縦線０２部分の正極側のリード線９Ａに縦線０２部分の正極側のリード線９Ａを、また
、縦線０２部分の負極側のリード線９Ｂに縦線０２部分の負極側のリード線９Ｂをそれぞ
れ対峙、接触させ、この接触部分を半田付けして、結線する。
【００３９】
この手段によれば、被覆体１１には予め切り欠き１２が設けられているので、現場にお
手は上方に来るリード線部分の被覆体１１を指先で上下に反転しさえすれば、リード線９
（９Ａ, ９Ａ１, ９Ａ２, ９Ｂ, ９Ｂ１, ９Ｂ２）同士を対峙、接触できるので、結線作
業が短時間で簡便に、且つ能率よく行える。
【００４０】
更に、前記簡易接合手段１０の更に別の手段としては、既に各実施例１，２に示すよう
に、被覆リード線９Ｂは、この被覆体１１の上から直接に半田ごてを当て付け、その熱に
よって先ず被覆体１１を溶融し、引き続き露出した裸のリード線９（９Ａ, ９Ａ１, ９Ａ
２, ９Ｂ, ９Ｂ１, ９Ｂ２）を半田付けＢしても良い。同様に結線作業が短時間で簡便に
、且つ能率よく行える。この場合、裸リード線９Ａに被覆したリード線を採用でき、高い
安全性を確保できることは言うまでもなく、結線作業の更なる効率化を図るのに有効であ
る。
【００４１】
また、図示しないが、発光素子７、抵抗６は基板５の表面側に実装されるとともに、リ
ード線９は、少なくとも基板５の側面から上面に連なり、基板５の下面はフラットである
ようにするのが望ましい。
【００４２】
このような構成では、例えば看板等を作成するに当たって、基板５を看板Ｐ上に単に接
着して行くだけという簡便な作業、手段のみで、所望の文字や図柄などを格段に簡便に、
また、能率よく作製して行け、併せてリードチェーン光源２を看板Ｐにしっかりと取り付
けることができる。
【００４３】
（実施例４）
第４の実施例では、本発明の前記簡易接合手段１０の更に別の構造を示すことと併せて
、発光素子７、抵抗６の他、リード線９も基板５の表面側に実装させた具体例を示したも
のである。
【００４４】
この例では、図７に示すように、基板５の表面側の左右両端で、中央側にそれぞれ、リ
ード線９の接続部に電気的に直結された接続用の正、負両接続端子１３を設け、その両サ
イドに前記リード線９の接続部を設ける。そして、この正、負両接続端子１３を用いて、
それぞれ入力用の渡りケーブル１４と出力用の渡りケーブル１５とが、前記リード線９と
は別に接続される。これら両渡りケーブル１４, １５の延出端には、一方に接続コネクタ
１６の雄部材１７が、他方に雌部材１８が設けられていて、これら両渡りケーブル１４, 
１５と接続コネクタ１６とで前記簡易接合手段１０が構成されている。また、リード線９
も基板５の表面側に溶着される。
【００４５】
このような手段によれば、接続したいリードチェーン光源２同士の一方の渡りケーブ１
４の雄部材１７を他方の渡りケーブル１５の雌部材１８に差し込んで両渡りケーブル１４
, １５を結線することによって、例えば図３に示す、平仮名「あ」の横線０１部分のリー
ドチェーン光源２から縦線０２部分のリードチェーン光源２への給電が行われることにな
る。
【００４６】
この第４実施例の構造によれば、雄部材１７を雌部材１８に差し込むだけの極簡単で単
純な作業で結線ができ、能率のよい照明装置の製作を可能にできる。しかも、基板５の下
面はフラットとなる。従って、このリードチェーン光源２で、例えば看板等を作成するに
当たって、基板５を看板Ｐ上に単に接着して行くだけという簡便な作業、手段のみで、所
望の文字や図柄などを格段に簡便に、また、能率よく作製して行け、併せてリードチェー
ン光源２を看板Ｐにしっかりと取り付けることができる。
【００４７】
（実施例５）
第５の実施例では、本発明の前記簡易接合手段１０の更に別の構造を示し、前記コネク
タ１６による結線構造の別の手段を示す。
具体的には、図８に示すように、基板５の表面側の左右両端で、中央側にリード線９の
接続部を設け、その両サイドに、それぞれ接続用の予備のパターン１９、つまりはリード
線の正、負両接続端子を設け、ここにそれぞれ接続コネクタ２０の正極側と負極側の雌部
材２１を取り付ける。異なるリードチェーン光源２同士を接続する渡りケーブル２２の両
端にはそれぞれ雄部材２３が接続されている。この実施例では、中央にリード線９の接続
部が存在するため、正局側、負局側の渡りケーブル２１は左右に分離した形で存在するこ
とになるため、同図の要部の拡大側面図に示すように、接続コネクタ２０は必然的に１Ｐ
コネクタが採用される。
【００４８】
この第５実施例の構造によれば、第４の実施例と同様に、雄部材２３を雌部材２１に差
し込むだけの極簡単で単純な作業で結線ができ、能率のよい照明装置の製作を可能にでき
る。しかも、図１０に示すように、基板５の下面はフラットとなる。従って、このリード
チェーン光源２で、例えば看板Ｐ等を作成するに当たって、基板５を看板Ｐ上に単に接着
して行くだけという簡便な作業、手段のみで、所望の文字や図柄などを格段に簡便に、ま
た、能率よく作製して行け、併せてリードチェーン光源２を看板Ｐにしっかりと取り付け
ることができる。なお、この場合、基板５の裏面から発光素子７に連結された放熱板（図
外）膨出させる構造も採用できる。言うまでもなくこの放熱板の裏面、つまりチャンネル
などに接する側は平らな面となっている。
【００４９】
次に、図９に示す構造は、基本的には図８に示す、基板５の表面側の左右両端にそれぞ
れ接続用の正、負両接続端子１９と、接続コネクタ２０の正極側と負極側の雌部材２１を
取り付ける構造を踏襲するものであるが、リード線９の接続端子を基板５の両側に振り分
け、中央に渡りケーブル２２の接続コネクタ２０を設けたものである。この場合の接続コ
ネクタ２０は、同図の要部の拡大側面図に示すように、２Ｐコネクタの使用が可能となる
。
【００５０】
また、この第５の実施例において、図示された態様は重なり合う部分Ｃのない態様であ
るが、図３に示すような重なり合う部分Ｃのある箇所でのこの簡易接合手段１０による結
線状態は、図１１の（Ａ）並びに同（Ｂ）に示すとおりである。
すなわち、図８に示される２Ｐコネクタ２０を採用する構成では、図１１（Ａ）に示す
ように、重なり合う部分Ｃの、例えば第一の横線０１に沿うリードチェーン光源２Ａと縦
線０２に沿うリードチェーン光源２Ｂとの井桁状にして互いに隣り合う四つの発光部の内
の、横線０１に沿うリードチェーン光源２Ａの一つの発光部８と縦線０２に沿うリードチ
ェーン光源２Ｂの一つの発光部８の一対を、一方を正極側同士、他方を負極側同士で接続
する。
また、図９に示される１Ｐコネクタ２０を採用する構成では、図１１（Ｂ）に示すよう
に、横線０１に沿うリードチェーン光源２Ａの一つの発光部８と縦線０２に沿うリードチ
ェーン光源２Ｂの一つの発光部８の一対のみを互いに接続すれば良い。
【００５１】
なお、前記第４実施例に示す構造にあって、必要に応じて前記正、負両接続端子１３を
採用せずに、渡りケーブル１４, １５の端部をリード線９の溶着部上に重ねて、直に溶着
することもできる。しかし、リード線９の基板５へのより確実な結線を確保する意味から
は、上記第４実施例の正、負両接続端子１３を採用するのが望ましい。
【００５２】
また、前記第５実施例に示す構造にあっても、必要に応じて接続コネクタ２０を用いず
、渡りケーブル２２の端部を正、負両接続端子１９に（例えば図１２参照）、或いは図示
しないが、リード線９の溶着部上に重ねて、直に溶着することもできる。
【００５３】
しかし、リード線９の基板５へのより確実な結線を確保する意味からは、上記第５実施
例に開示した接続コネクタ２０を採用するのが望ましい。この接続コネクタ２０を採用す
るにあたっては、図９に示す構造において、必ずしも２Ｐコネクタを用いる必要はなく、
この２Ｐコネクタに換えて、図８に示されるような、１Ｐコネクタを採用できる。
【００５４】
また、前記第４実施例を始めとする正、負両接続端子１３は、図示される基板５の表面
側の左右両端に限らず如何なる場所であっても良いことは言うまでもない。更に、リード
線９と基板５の接続或いは渡りケーブル１４と基板５の接続に半田付けを採用しているが
、その接続手段はこれに限定されるものではなく、例えば接着剤なども採用される。また
、正・負極のリード線や被覆材は、結線作業の能率を上げるためにも、その対応する極性
に応じて色分けされるのが望ましい。更に、照明装置の耐久性を高めるためや無用な漏電
、ショートを予防する上からも、リード線の結線箇所以外の裸部分、また必要に応じて結
線箇所も含めて、結線作業の前、後に、例えばシリコン樹脂などを塗布するなどして被覆
されるのが望ましい。
【００５５】
また、以上の各実施例において、図１３に示すように、発光素子７、少なくとも抵抗６
は基板５の表面側に実装されるとともに、リード線９は、少なくとも基板５の側面から上
面に連なり、基板５の下面の少なくとも一部はフラットで放熱面２４になった構造を採用
できる。このリードチェーン光源で、例えば看板Ｐ等を作成するに当たって、発光部８の
発熱を効率良く放出できることは言うまでもないが、併せて基板５を看板Ｐ上に単に接着
して行くだけという簡便な作業、手段のみで、所望の文字や図柄などを格段に簡便に、ま
た、能率よく作製して行け、しかもリードチェーン光源２を看板Ｐにしっかりと取り付け
ることができるからである。
【００５６】
更に、以上の各実施例にあって、所望の文字や図柄などを形作るには、一例として、実
寸で形成された所望の文字や図柄などの下書き（トレース）の上でこの所望の文字や図柄
などにあわせてリードチェーン光源２のリード線９を折り曲げながら所望の文字や図柄な
どを予め形作る。広いスペースで形作れるので、作業性が格段に改善される。次いで、予
め形作られたＬＥＤ照明装置をチャンネル内に嵌め込み、適宜接着剤などを用いてこのＬ
ＥＤ照明装置をチャンネルの底に貼着させる。最後に、例えばアクリルなどの蓋材をして
作業を完了する。従来のように狭いチャンネル内で、結線や固定の作業をする煩わしさや
手間から解放され、格段に能率のよい作業が行えるようになった。
【図面の簡単な説明】
【００５７】
【図１】本発明に係るＬＥＤ照明装置の第１の実施例を示す一部切り欠き概観図である。
【図２】図１に示されたチェーンリード光源の要部の拡大概観図で、（Ａ）は表面概観図、（Ｂ）は裏面概観図である。
【図３】図１に示すＬＥＤ照明装置を用いた看板の作製方法の説明図である。
【図４】図３に示す看板の製作方法の要部の拡大説明図で、（Ａ）は結線前の重なり部の拡大平面図、（Ｂ）は結線後の重なり部の拡大平面図である。
【図５】本発明に係るＬＥＤ照明装置の第２の実施例による看板の製作方法の要部の拡大説明図で、（Ａ）は結線前の重なり部の拡大平面図、（Ｂ）は結線後の重なり部の拡大平面図である。
【図６】本発明に係るＬＥＤ照明装置の第３の実施例を示す要部の拡大概観図である。
【図７】本発明に係るＬＥＤ照明装置の第４の実施例を示す概略説明図である。
【図８】本発明に係るＬＥＤ照明装置の第５の実施例を示し、図中矢視Ｂから見た一部を取り出して拡大して示した要部の拡大図を含む概略説明図である。
【図９】図８に示された実施例５の変形例を示し、図中矢視Ｂから見た一部を取り出して拡大して示した要部の拡大図を含む概略説明図である。
【図１０】図８，９に示された概略説明図を正面から見た要部の一部切り欠き正面図である。
【図１１】図８，９に示された構成の簡易接合手段の接合状態の説明図で、（Ａ）は図８に記載された構成に対応する拡大図、（Ｂ）は図９記載された構成に対応する拡大図である。
【図１２】図８に示されたＬＥＤ照明装置の更に変形例を示す概略説明図である。
【図１３】発光部の変形例を示す要部の正面図である。
【符号の説明】
【００５８】
１…リード照明装置
２…リードチェーン光源
５…基板
６…抵抗
７…発光素子
８…発光部
９…リード線
９Ａ…裸リード線
９Ｂ…被覆リード線
１０…簡易接合手段
１１…被覆体
１２…リード線露出部
１３，１９…正、負両接続端子
１４, １５, ２２…渡りケーブル
１６, ２０…接続コネクタ
１７, ２３…雄部材
１８, ２１…雌部材
Ｃ，Ｃ１，Ｃ２，Ｃ３，Ｃ４…重なり合う部分
Ｐ…看板
【図１】
2007156095.tif 000003
【図２】
2007156095.tif 000004
【図３】
2007156095.tif 000005
【図４】
2007156095.tif 000006
【図５】
2007156095.tif 000007
【図６】
2007156095.tif 000008
【図７】
2007156095.tif 000009
【図８】
2007156095.tif 000010
【図９】
2007156095.tif 000011
【図１０】
2007156095.tif 000012
【図１１】
2007156095.tif 000013
【図１２】
2007156095.tif 000014
【図１３】
2007156095.tif 000015